(57)【特許請求の範囲】
【請求項１】
返却可能本数が記録されるカードと、容器入りの商品を販売する自動販売機と、空容器を回収する空容器回収装置とからなり、
前記自動販売機は、カードが挿入されるカード挿入口と、販売した本数をカードの返却可能本数に加算するカードリーダライターとを備え、
前記空容器回収装置は、カードが挿入されるカード挿入口と、カードの返却可能本数を読むとともに、回収した空容器の本数を、カードの返却可能本数から減算しているカードリーダライターと、カードの返却可能本数の範囲内で空容器を回収している空容器回収部と、回収した空容器の代金を返却する空容器の代金返却手段とを備えている自動販売回収システム。
【請求項２】
返却可能本数、および、購入可能金額またはポイントの少なくとも一方が記録されるカードと、容器入りの商品を販売する自動販売機と、空容器を回収する空容器回収装置とからなり、
前記自動販売機は、カードが挿入されるカード挿入口と、販売した本数をカードの返却可能本数に加算するカードリーダライターとを備え、
前記空容器回収装置は、カードが挿入されるカード挿入口と、カードの返却可能本数を読むとともに、回収した空容器の本数を、カードの返却可能本数から減算し、かつ、回収した空容器に応じて、カードの購入可能金額またはポイントを増額するカードリーダライターと、カードの返却可能本数の範囲内で空容器を回収している空容器回収部とを備えている自動販売回収システム。
【発明の詳細な説明】
【０００１】
【発明の属する技術分野】
本発明は、飲料缶などの容器入りの商品を販売および回収する自動販売回収システムに関する。
【０００２】
【従来の技術】
従来の自動販売回収システムにおいては、例えば特開平６−１８７５４６号公報（Ｇ０７Ｆ７／０６）に記載されているように、回収専用のカードなどを設け、購買客に限らず、不特定多数の人から、空容器を回収している。そして、回収した空容器に対して、見返金を渡している。
【０００３】
【発明が解決しようとする課題】
しかしながら、近年、クレジットカード、テレホンカード、オレンジカードやプリペイドカードなど種々のカードを携帯することが多く、回収専用のカードを使用すると、購買客の財布の中などに保管されているカードの枚数が増大する。
【０００４】
また、この様に有償で空容器を回収すると、販売した商品の空容器以外に、道路に落ちていた空容器や、他の店舗で販売した商品の空容器が多数返却される。しかも、空容器自体の価値は僅かなので、空容器の運搬コストや選別コストなどで略確実に赤字になる。したがって、この様な自動販売回収システムを導入する際には、その地域全体で行う必要がある。また、自治体などの関係諸機関の補助がなければ、困難である。そのため、一店舗の意向で自動販売回収システムを導入することは少ない。そこで、購買客以外の人からの空容器を極力制限することができる自動販売回収システムが望まれている。
【０００５】
本発明は、以上のような課題を解決するためのもので、購買客の携帯するカードの枚数を増加させることがない自動販売回収システムを提供することを目的とする。また、空容器の回収の際に、購買客以外の人からの空容器を極力制限することができる自動販売回収システムを提供することを二次的目的とする。
【０００７】
【課題を解決するための手段】
本出願の請求項１記載の発明の自動販売回収システムは、返却可能本数が記録されるカード（２１，２２）と、容器入りの商品を販売する自動販売機と、空容器を回収する空容器回収装置とからなる。そして、自動販売機は、カードが挿入されるカード挿入口と、販売した本数をカードの返却可能本数に加算するカードリーダライターとを備えている。空容器回収装置は、カードが挿入されるカード挿入口と、カードの返却可能本数を読むとともに、回収した空容器の本数を、カードの返却可能本数から減算しているカードリーダライターと、カードの返却可能本数の範囲内で空容器を回収している空容器回収部と、回収した空容器の代金を返却する空容器の代金返却手段（５２，５４）とを備えている。
【０００８】
また、本出願の請求項２記載の発明の自動販売回収システムは、返却可能本数、および、購入可能金額またはポイントの少なくとも一方が記録されるカードと、容器入りの商品を販売する自動販売機と、空容器を回収する空容器回収装置とからなる。そして、自動販売機は、カードが挿入されるカード挿入口と、販売した本数をカードの返却可能本数に加算するカードリーダライターとを備えている。空容器回収装置は、カードが挿入されるカード挿入口と、カードの返却可能本数を読むとともに、回収した空容器の本数を、カードの返却可能本数から減算し、かつ、回収した空容器に応じて、カードの購入可能金額またはポイントを増額するカードリーダライターと、カードの返却可能本数の範囲内で空容器を回収している空容器回収部とを備えている。
【０００９】
【発明の実施の形態】
次に、本発明における自動販売回収システムの実施の一形態を図１ないし図７を用いて説明する。図１は本発明にかかる自動販売回収システムの実施の一形態の正面図である。図２は自動販売機の制御装置の回路図である。図３は空容器回収装置の制御装置の回路図である。図４はカードの説明図で、（ａ）がプリペイドカードの図、（ｂ）がポイントカードの図である。図５はプリペイドカードを使用した場合のフローチャートである。図６は返却可能本数を限定したカードを使用した場合の自動販売機におけるフローチャートである。図７は返却可能本数を限定したカードを使用した場合の空容器回収装置におけるフローチャートである。
【００１０】
自動販売回収システムは、自動販売機１と空容器回収装置２とで構成されている。自動販売機１の本体の内部には、缶飲料などの販売商品が収納されている。この自動販売機の本体の前面は、断熱扉である前面扉３で開閉自在に閉じられている。この前面扉１には、上部にディスプレー部４が設けられ、販売商品の見本６が複数陳列されているとともに、この見本６をディスプレー用照明装置（図示しない）が照明している。また、この見本６の下側には、各々商品選択ボタン７が設けられている。
【００１１】
さらに、前面扉３の下部には、コイン返却口１２が設けられているとともに、前面扉３を貫通して商品取出口１４が設けられている。そして、自動販売機１の本体内には、ベンダーすなわち商品払出装置１５が設けられ、この商品払出装置１５は、制御装置である自動販売機用マイコン１６から払出信号を受けると、自動販売機１の本体内に収納されている商品を商品取出口１４に払出している。
【００１２】
また、前面扉３には、コイン投入口１７およびカード挿入口１８が設けられ、このコイン投入口１７に投入された金銭を、コインメカニズム１９が検知している。また、カード挿入口１８に挿入されたカード２１，２２を、カードリーダライター２４が読取り、書込みを行っている。
【００１３】
自動販売機用マイコン１６には、選択ボタン７、商品払出装置１５、コインメカニズム１９やカードリーダライター２４などが接続されている。また、カード２１，２２には、図４（ａ）に図示するプリペイドカード２１と、図４（ｂ）に図示するポイントカード２２がある。プリペイドカード２１は、表面にカードの販売価格２３たとえば  1,000円が印刷で表示されているとともに、磁気記録部として、ポイント記録部２６、購入可能金額記録部２７、返却可能本数記録部２８および販売店名記録部２９などが設けられている。また、ポイントカード２２には、磁気記録部として、ポイント記録部３１、返却可能本数記録部３２、販売店名記録部３３などが設けられている。
【００１４】
空容器回収装置２の前面には、上側に、回収不能や返却可能本数などを表示する表示装置４１が設けられ、その下側に空容器回収部である回収口４２が開口している。そして、回収口４２から回収された空容器を検知する回収容器カウンター４４が設けられている。回収容器カウンター４４を通過した空容器は、たとえば、空きビン、空き缶、空きペットボトルなどの様に、品種毎に分別され、圧縮裁断されて、空容器回収装置２内に貯蔵されている。
【００１５】
さらに、回収口４２の下側に、カード挿入口４６が設けられ、このカード挿入口４６に挿入されたカード２１，２２を、カードリーダライター４７が読取り、書込みを行っている。また、カード返却ボタン５１およびコイン返却口５２が設けられている。そして、コイン払出装置５４が作動すると、コイン返却口５２に金銭が払い出されている。このコイン返却口５２およびコイン払出装置５４で、見返金を返す代金返却手段が構成されている。
【００１６】
空容器回収装置用マイコン５６には、表示装置４１、回収容器カウンター４４、カードリーダライター４７、カード返却ボタン５１やコイン払出装置５４などが接続されている。
【００１７】
そして、空容器の回収を制限するには、購買客に限定したり、商品の購入本数に限定したりすることができる。まず始めに、購買客に限定した空容器回収のフローを図５で説明する。なお、自動販売機１では、プリペイドカード２１が使用可能であるが、自動販売機１における商品購入のフローは、良く知られている従来のものと同じであるので、説明は割愛する。
【００１８】
空容器回収装置２のカード挿入口４６およびカードリーダライター４７は、プリペイドカード２１のみを受け付けており、プリペイドカード２１と他のカードとを判別するプリペイドカード判別機能を有している。ステップ１において、プリペイドカード２１が挿入された場合には、カードリーダライター４７が、プリペイドカード２１の挿入を、制御装置である空容器回収装置用マイコン５６に出力する。ついで、ステップ２に行く。一方、プリペイドカード２１が挿入されない場合には、カードリーダライター４７は空容器回収装置用マイコン５６に信号を出力せず、ステップ１に戻る。
【００１９】
そして、ステップ２において、空容器の回収を行い、空容器が回収口４２に投入された場合には、回収容器カウンター４４が空容器を検知して、回収信号を空容器回収装置用マイコン５６に出力し、ステップ３に行く。一方、空容器が回収されない場合には、回収容器カウンター４４は空容器回収装置用マイコン５６に信号を出力せず、ステップ２に戻る。
【００２０】
ついで、ステップ３において、空容器回収装置用マイコン５６は、回収容器カウンター４４からの回収信号を受けると、回収ポイントまたは回収金額をカードリーダライター４７に出力する。カードリーダライター４７は、プリペイドカード２１のポイント記録部２６または購入可能金額記録部２７から読み取ったポイントまたは購入可能金額に、空容器回収装置用マイコン５６からの回収ポイントまたは回収金額を加算して、ポイント記録部２６または購入可能金額記録部２７に記録する。そして、プリペイドカード２１をカード挿入口４６へ戻して返却している。なお、回収金額を購入可能金額に加算する場合には、ポイント記録部２６は必ずしも必要ではない。ついで、ステップ１に戻る。
【００２１】
このプリペイドカード２１は、カード販売機や店舗で購入でき、このプリペイドカード２１を用いて、自動販売機１で商品を購入することができる。そして、空容器回収装置２で回収金額が購入可能金額に加算された場合には、回収金額が加算された購入可能金額まで、自動販売機１で商品を購入することができる。また、回収ポイントの場合には、店で景品と交換することができる。この様に、図５のフローでは、空容器回収装置２が受け付けるカードが、商品を購入するためのプリペイドカード２１に限定されており、購買客以外の者が、空容器を返却しても、見返金などの対価を与えることがない。したがって、プリペイドカード２１を所有した購買客以外の者が、道路や他の店で購入した商品の空容器を、空容器回収装置２に返却することを減少させることができる。
【００２２】
また、プリペイドカード２１を用いているので、専用の回収カードが不要であり、購買客が携帯するカードの枚数が増加することを防止することができる。
【００２３】
つぎに、商品の購入本数に限定した空容器回収のフローを図６および図７で説明する。まず始めに、自動販売機１で商品を購入する際のフローを図６で説明する。ステップ１において、カード挿入口１８に、プリペイドカード２１またはポイントカード２２などのカードが挿入されると、カードリーダライター２４がカード２１，２２を検知し、自動販売機用マイコン１６にカード挿入信号を出力する。また、プリペイドカード２１の場合には、金銭が投入されないこともあるが、ポイントカード２２の場合には、必ず金銭が投入される。そして、金銭がコイン投入口１７に投入された場合には、コインメカニズム１９が検知して、その金額をマイコン１６に出力する。
【００２４】
ついで、ステップ２において、カードがプリペイドカード２１の場合には、カードリーダライター２４は購入可能金額を読み取り、購入可能金額信号をマイコン１６に出力する。そして、ステップ３において、マイコン１６は、プリペイドカード２１の購入可能金額および投入された金銭の金額から、購入可能な商品を選定して、対応する選択ボタン７を点灯する。ステップ４において、点灯している選択ボタン７が操作されると、マイコン１６は商品払出装置１５に、選択した商品の払出信号を出力する。ステップ５において、商品払出装置１５は払出信号を受けると、商品取出口１４に商品を払い出す。
【００２５】
そして、ステップ６において、マイコン１６は、カードリーダライター２４に商品販売完了信号を出力する。カードリーダライター２４は、商品販売完了信号を受けると、プリペイドカード２１の返却可能本数記録部２８または、ポイントカード２２の返却可能本数記録部３２から、返却可能本数を読み取り、この返却可能本数に１加算し、この１加算した返却可能本数を返却可能本数記録部２８，３２に記録する。さらに、カードリーダライター２４は、プリペイドカード２１の購入可能金額記録部２７から購入可能金額を読み取り、この読み取った購入可能金額から、販売した販売価格を減算し、この減算した新しい購入可能金額を購入可能金額記録部２７に記録する。そして、カード２１，２２をカード挿入口１８に戻して返却する。ついで、ステップ０に戻る。
【００２６】
つぎに、空容器回収装置２で空容器を回収する際のフローを図７で説明する。この空容器回収装置２では、プリペイドカード２１およびポイントカード２２が使用可能である。ステップ１において、カード挿入口４６に、プリペイドカード２１またはポイントカード２２などのカードが挿入されると、カードリーダライター４７がカード２１，２２を検知するとともに、カード２１，２２の返却可能本数記録部２８，３２から返却可能本数を読み取る。そして、カードリーダライター４７は読み取った返却可能本数を、空容器回収装置用マイコン５６に出力する。ステップ２において、空容器回収装置用マイコン５６は、この返却可能本数を表示装置４１に出力し、表示装置４１は返却可能本数を表示する。この表示の際に、返却可能本数が０の場合には、返却不能を表示する。
【００２７】
ついで、ステップ３において、カード返却ボタン５１が操作された場合には、ステップ４に行き、カード２１，２２をカード挿入口４６に戻して返却する。カード返却ボタン５１が操作されない場合には、ステップ５に行く。ステップ５において、回収口４２に空容器が、たとえば一個投入され、回収容器カウンター４４が検知すると、回収信号をマイコン５６に出力し、ステップ６に行く。一方、回収容器カウンター４４が空容器を検知しない場合には、ステップ３に戻る。
【００２８】
そして、ステップ６において、マイコン５６は、回収容器カウンター４４からの回収信号を受けると、回収ポイントまたは回収金額をカードリーダライター４７に出力する。カードリーダライター４７は、カード２１，２２の返却可能本数記録部２８，３２から読み取った返却可能本数から、返却された空容器の数である１を減算して、この新しい返却可能本数を返却可能本数記録部２８，３２に記録する。また、カード２１，２２のポイント記録部２６，３１または購入可能金額記録部２７から読み取ったポイントまたは購入可能金額に、空容器回収装置用マイコン５６からの回収ポイントまたは回収金額を加算して、ポイント記録部２６，３１または購入可能金額記録部２７に記録する。なお、ステップ６において、回収ポイントや回収金額を加算する代わりに、マイコン５６がコイン払出装置５４に代金返却信号を出力し、コイン払出装置５４が見返金としての代金をコイン返却口５２に払い出すことも可能である。ついで、ステップ７に行く。
【００２９】
ステップ７において、カードリーダライター４７は、新しい返却可能本数をマイコン５６に出力している。マイコン５６はこの返却可能本数が０か否かを判断し、そして、この返却可能本数が０以外の場合には、ステップ２に戻る。一方、返却可能本数が０の場合には、ステップ８に行き、マイコン５６は表示装置４１に返却不能信号を出力し、表示装置４１は返却不能を表示する。ついで、ステップ９において、カード２１，２２を返却し、ステップ０に戻る。
【００３０】
以上、本発明の実施の形態を詳述したが、本発明は、前記実施の形態に限定されるものではなく、特許請求の範囲に記載された本発明の要旨の範囲内で、種々の変更を行うことが可能である。本発明の変更例を下記に例示する。
（１）回収容器カウンター４４で空容器の品種や大きさなどを検知するとともに、回収容器カウンター４４が品種データーや大きさのデーターをマイコン５６に出力し、マイコン５６は、空容器の品種や大きさなどに応じて、見返金の金額やポイント数を変更していることも可能である。
【００３１】
（２）カード２１，２２には、ポイント、購入可能金額、返却可能本数や販売店名記録部などが記録されているが、他の情報を記録することも可能である。
（３）実施の形態において、返却可能本数記録部２８，３２には、購入本数から返却本数を減算した値が記録されているが、購入本数から返却本数を減算した値が分かるならば、その記録する方法は適宜変更可能である。たとえば、購入本数および返却本数の両者を記録することも可能である。
【００３２】
（４）カード２１，２２に、ＩＤ（個人情報）カードとしての機能を持たせることも可能である。
（５）自動販売機１と空容器回収装置２とは、必ずしも併設されている必要はなく、互いに離れた場所に設置することも可能である。
【００３４】
【発明の効果】
本出願の請求項１または２記載の発明の自動販売回収システムによれば、カードに返却可能本数が記録され、販売した範囲内で、空容器を回収しているので、販売した商品以外の空容器が回収されることを極力制限することができる。
【００３５】
また、本出願の請求項１記載の発明の自動販売回収システムによれば、返却の見返りを金銭で行っているので、カードにポイント記録部を設ける必要がなく、カードや空容器回収装置のカードリーダライターのコストを削減することができる。
【００３６】
さらに、本出願の請求項２記載の発明の自動販売回収システムによれば、返却の見返りを、カードにおける購入可能金額またはポイントの増額で行っているので、空容器回収装置に、多数の小銭を収納しておく必要がないとともに、見返金が小額の場合にも簡単に対応することができる。
【図面の簡単な説明】
【図１】図１は本発明にかかる自動販売回収システムの実施の一形態の正面図である。
【図２】図２は自動販売機の制御装置の回路図である。
【図３】図３は空容器回収装置の制御装置の回路図である。
【図４】図４はカードの説明図で、（ａ）がプリペイドカードの図、（ｂ）がポイントカードの図である。
【図５】図５はプリペイドカードを使用した場合のフローチャートである。
【図６】図６は返却可能本数を限定したカードを使用した場合の自動販売機におけるフローチャートである。
【図７】図７は返却可能本数を限定したカードを使用した場合の空容器回収装置におけるフローチャートである。
【符号の説明】
１  自動販売機
２  空容器回収装置
１５  商品払出装置
１８  カード挿入口
２１  プリペイドカード
２２  ポイントカード
２３  販売価格
２４  カードリーダライター
２７  購入可能金額記録部
２８  返却可能本数記録部
３２  返却可能本数記録部
４２  回収口（空容器回収部）
４６  カード挿入口
４７  カードリーダライター
５２  コイン返却口（代金返却手段）
５４  コイン払出装置（代金返却手段）
【図１】
0003840749.tif 000002
【図２】
0003840749.tif 000003
【図３】
0003840749.tif 000004
【図４】
0003840749.tif 000005
【図５】
0003840749.tif 000006
【図６】
0003840749.tif 000007
【図７】
0003840749.tif 000008